【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
粒状物から望ましくない異物を取り除く粒状物除塵装置において、
前壁、後壁および上部部分を有するハウジング、
不純物で汚染された粒状物を前記ハウジングに向けて流す供給開口、
前記供給開口の下に設けられ、排出縁部に向かって下向きかつ外向きに延在する少なくとも１台の第１洗浄デッキ、
前記の少なくとも１台の洗浄デッキに対応する少なくとも一つの投入口偏向板であって、対応する前記洗浄デッキに対して接近し、かつ離間するように偏向動作して、前記投入口偏向板と対応する前記洗浄デッキとの間の間隔を最大間隔位置から最小間隔位置に変更し、前記最小間隔位置において前記投入口偏向板が対応する洗浄デッキに隣接するため、前記の不純物で汚染された粒状物が前記投入口偏向板を通過することを防止する少なくとも一つの投入口偏向板であり、前記前壁と前記後壁との間に延在し、前記ハウジングの前記上部部分に取り付けられ、かつ対応する前記洗浄デッキに対して離間関係にある固定式部材、および前記固定式部材にそって滑動可能な可動部材を有し、そしてこの可動部材は前記最大間隔位置と前記最小間隔位置との間に設けることができ、この設置位置において前記の不純物で汚染された粒状物が前記可動部材を通過することがないように構成した少なくとも一つの投入口偏向板、および、
前記の少なくとも一つの投入口偏向板の前記可動部材に接続され、前記最大間隔位置と前記最小間隔位置との間においてこの偏向板の偏向動作を付勢する少なくとも一つの付勢装置、を有することを特徴とする粒状物除塵装置。
【請求項２】
前記の少なくとも一つの投入口偏向板が前記ハウジングの前記前壁と前記後壁との間に延在し、これらの壁の間に対応する前記第１洗浄デッキが延在し、前記の少なくとも一つの偏向板が前記最小間隔に偏向移動すると、前記の不純物で汚染された粒状物が前記の少なくとも一つの投入口偏向板の後ろに、かつ前記対応する第１洗浄デッキの上に貯留し、前記の少なくとも一つの第１洗浄デッキに均一に装填される請求項１に記載の粒状物除塵装置。
【請求項３】
前記ハウジングが、円形投入口に接続されるように中間部材が固定された矩形の投入口構造を有する請求項２に記載の粒状物除塵装置。
【請求項４】
前記の少なくとも一つの第１洗浄デッキが一対の対向第１洗浄デッキを有し、これら対向第１洗浄デッキが前記供給開口に対して中心に位置する頂点において当接し、前記第１洗浄デッキそれぞれが前記頂点から反対方向に対応する対向排出縁部まで下向きかつ外向きに延在し、前記の少なくとも一つの投入口偏向板が対応する前記第１洗浄デッキに対応し、そして対応する前記第１洗浄デッキに対して前記最大間隔位置および前記最小間隔位置に偏向移動できる投入口偏向板を有し、前記の少なくとも一つの付勢装置が前記投入口偏向板それぞれに連動接続されて付勢を行う付勢装置を有する請求項１に記載の粒状物除塵装置。
【請求項５】
前記投入口偏向板それぞれが前記ハウジングの前記上部部分に対して全体として平行に延長する方向にそって偏向移動し、前記最大間隔位置と前記最小間隔位置の間において偏向移動する請求項４に記載の粒状物除塵装置。
【請求項６】
前記投入口偏向板それぞれが対応する前記第１洗浄デッキに対して全体として垂直に延長する方向にそって偏向移動し、前記最大間隔位置と前記最小間隔位置の間において偏向移動する請求項４に記載の粒状物除塵装置。
【請求項７】
前記可動部材それぞれが、
前記固定式部材に固定され、かつ向きが前記固定式部材に対して平行な平面部分、
前記平面部分から下向きに延在し、向きが前記第１洗浄デッキに対して全体として平行な後脚であって、前記粒状物が前記平面部分を移動通過した後に前記粒状物を層流化する後脚、および
前記後脚から前記平面部分に対して全体として平行に延在し、前記第１洗浄デッキに隣接配置することが可能なため、前記可動部材が前記固定式部材に対して可動した時に前記第１洗浄デッキに対して間隙を形成する線形タブを有する請求項６に記載の粒状物除塵装置。
【請求項８】
前記付勢装置それぞれはその向きが対応する前記投入口偏向板に対して全体として平行であり、その動力源が油圧、空気圧または電気のうちの一つであり、前記付勢装置それぞれが対応する前記可動部材から取り外すことができる請求項７に記載の粒状物除塵装置。
【請求項９】
さらに、
清浄空気の流れを前記第１洗浄デッキの下に供給し、この空気を前記洗浄デッキに流してこれら第１洗浄デッキ上を流れる除塵された粒状物を生成する清浄空気供給口であって、前記第１洗浄デッキの下にある前記後壁に設けられた清浄空気供給口、
それぞれの排出縁部の外部に設けられたベンチュリーゾーン、
前記ハウジングによって固定され、除塵された粒状物を前記ハウジングから排出する除塵製品排出口、および
それぞれ前記ハウジングの下方内部に支持された一対の第２洗浄デッキ、を有し、対応する前記ベンチュリーゾーンを通過した後に前記第１洗浄デッキの排出端部から排出された前記粒状物をこれら排出端部で受け取る請求項８に記載の粒状物除塵装置。
【請求項１０】
粒状物から望ましくない異物を取り除く粒状物除塵装置において、
前壁、後壁および上部部材を有するハウジング、
不純物で汚染された粒状物を前記ハウジングに向けて流す中央供給開口、
頂点において接合され、対向排出縁部に向かって下向きかつ外向きに延在する一対の第１洗浄デッキ、
前記第１洗浄デッキのそれぞれに対応する投入口偏向板であって、対応する前記第１洗浄デッキに対して接近し、かつ離間するように偏向動作して、前記投入口偏向板と対応する前記第１洗浄デッキとの間の間隔を最大間隔位置から最小間隔位置に変更し、前記最小間隔位置において前記投入口偏向板が対応する前記第１洗浄デッキに隣接するため、前記の不純物で汚染された粒状物が前記投入口偏向板を通過することを防止する投入口偏向板であり、
前記前壁と前記後壁との間に延在し、前記ハウジングの前記上部部材に取り付けられ、かつ対応する前記洗浄デッキに対して離間関係で延在が終わる固定式部材、
前記固定式部材にそって滑動可能な可動部材であって、前記可動部材それぞれが、前記固定式部材に支持され、かつ向きが前記固定式部材に対して平行な平面部分と、前記平面部分から下向きに延在し、向きが前記洗浄デッキに対して全体として平行な後脚であって、前記粒状物が前記平面部分を移動通過した後に前記粒状物を層流化する後脚と、前記後脚から前記平面部分に対して全体として平行に延在し、前記洗浄デッキに隣接配置することが可能なため、前記可動部材が前記固定式部材に対して可動した時に前記洗浄デッキに対して間隙を形成する線形タブと、を有する可動部材であり、前記最大間隔位置と前記最小間隔位置との間に設けることができ、前記最大間隔位置において前記の不純物で汚染された粒状物が通過することがない可動部材、及び、
前記投入口偏向板それぞれに接続され、前記最大間隔位置と前記最小間隔位置との間において前記固定部材に対する前記可動部材の移動を付勢する付勢装置、を有する投入口偏向板、
清浄空気の流れを前記第１洗浄デッキの下に供給し、この空気を前記第１洗浄デッキに流して、前記排出縁部から排出された除塵された粒状物を生成する清浄空気供給口であって、前記第１洗浄デッキの下にある前記後壁に設けられた清浄空気供給口、
それぞれの排出縁部の外部に設けられたベンチュリーゾーン、および
前記ハウジングによって支持され、除塵された粒状物を前記ハウジングから排出する除塵製品排出口を有することを特徴とする粒状物除塵装置。
【請求項１１】
前記可動部材それぞれが、
前記固定式部材に固定され、かつ向きが前記固定式部材に対して平行な平面部分、
前記平面部分から下向きに延在し、向きが前記第１洗浄デッキに対して全体として平行な後脚であって、前記粒状物が前記平面部分を移動通過した後に前記粒状物を層流化する後脚、および
前記後脚から前記平面部分に対して全体として平行に延在し、前記洗浄デッキに隣接配置することが可能なため、前記可動部材が前記固定式部材に対して可動した時に前記洗浄デッキに対して間隙を形成する線形タブを有する請求項１０に記載の粒状物除塵装置。
【請求項１２】
前記投入口偏向板それぞれが前記前壁と前記後壁との間に延在し、これら偏向板が前記最小間隔位置に偏向移動すると、前記投入口偏向板の間において前記第１洗浄デッキの上に前記の不純物で汚染された粒状物が貯留し、前記前壁と前記後壁との間に延在する前記第１洗浄デッキの幅寸法全体にわたって均一な装填を行う請求項１１に記載の粒状物除塵装置。
【請求項１３】
前記固定式部材それぞれは向きが前記ハウジングに対して対角線方向にあるため、前記線形タブに対して実質的に垂直になっている対応する前記洗浄デッキに対して前記線形タブが近接し、あるいは離間するように移動可能であり、前記付勢装置それぞれは対応する前記可動部材から取り外すことができ、その動力源は油圧、空気圧または電気のいずれかである請求項１２に記載の粒状物除塵装置。
【請求項１４】
ハウジング、このハウジングに不純物で汚染された粒状物の流れを供給する供給開口および投入口偏向板から排出縁部に下向きかつ外向きに延在する洗浄デッキを有する除塵装置の投入口偏向板装置において、
前記ハウジングの前壁と後壁との間に延在し、前記ハウジングの上部部材に取り付けられ、かつ前記洗浄デッキに対して離間関係で延在が終わる固定式部材、および
前記固定式部材にそって滑動可能な可動部材を有し、この可動部材は前記最大間隔位置と前記可動部材が前記洗浄デッキに係合しないが、前記洗浄デッキに十分に近接する前記最小間隔位置との間に設けることができ、この設置位置において前記の不純物で汚染された粒状物が前記可動部材を通過することがないように構成し、そしてさらに
前記可動部材に接続され、前記固定式部材に対する前記可動部材の移動を付勢する付勢装置を有することを特徴とする投入口偏向板装置。
【請求項１５】
前記可動部材が、
前記固定式部材に固定され、かつ向きが前記固定式部材に対して平行な平面部分、
前記平面部分から下向きに延在し、向きが前記洗浄デッキに対して全体として平行な後脚であって、前記粒状物が前記平面部分を移動通過した後に前記粒状物を層流化する後脚、および
前記後脚から前記平面部分に対して全体として平行に延在し、前記洗浄デッキに隣接配置することが可能なため、前記可動部材が前記固定式部材に対して可動した時に前記洗浄デッキに対して間隙を形成する線形タブを有する請求項１４に記載の投入口偏向板装置。
【請求項１６】
前記固定式部材の向きが前記ハウジングに対して対角線方向にあるため、実質的に直角関係において前記線形タブが前記洗浄デッキに対して近接し、かつ離間できる請求項１５に記載の投入口偏向板装置。
【請求項１７】
前記付勢装置の向きが前記投入口偏向板に対して全体として平行であり、前記付勢装置の動力源が油圧、空気圧または電気のいずれかであり、前記付勢装置は対応する前記可動部材から取り外すことができる請求項１６に記載の投入口偏向板装置。
【請求項１８】
前記除塵装置が前記供給開口の下の頂点において当接する一対の洗浄デッキを有し、この洗浄デッキが前記頂点の反対側まで下向きかつ外向きに延在し、前記投入口偏向板装置が前記の各洗浄デッキに対応して一つの前記固定式部材、一つの前記可動部材および一つの前記付勢装置を有し、前記可動部材の両方を前記最小間隔位置に設定することによって前記可動部材間において前記洗浄デッキの上に不純物で汚染された粒状物が貯留し、前記可動部材が前記最小間隔位置よりも高い位置に可動した時に前記洗浄デッキの幅寸法にそって前記洗浄デッキが完全装填される請求項１７に記載の投入口偏向板装置。
【手続補正２】
【補正対象書類名】明細書
【補正対象項目名】００５８
【補正方法】変更
【補正の内容】
【００５８】
各洗浄デッキ１２０の下部排出端部１２１から落下する粒状物は、対応する除塵処理された製品排出口１１４に対して全体として垂直に落下し、ベンチュリーゾーン１３０に入る。このベンチュリーゾーン１３０では、空気が落下する粒状物に上向きに吹き付けられ、激しい最後の洗浄が行われる。この空気は、図１３の最良の形態から理解できるように、支持脚１２８のルーバー１２９を介して洗浄デッキ１２０の下からベンチュリーゾーン１３０に吹き込まれる。清浄空気もバイパスダクト１４５を介してベンチュリーゾーン１３０に供給できる。図１４の最良の形態から見てとれるように、主ハウジング１１１には、横断方向の垂直中央壁１１７を形成し、この中央壁に洗浄デッキ１２０を取り付ける。後壁１１２と中央壁１１７との間の清浄空気プレナム、即ち清浄空気マニホルド１１８は、中央壁１１７の清浄空気供給口１１６ａと流体連絡し、空気の流れを洗浄デッキ１２０に向ける。